(57)【要約】本発明は、複数の物品（６）、例えば、身分証、小切手帳、又は電車及び航空機のチケット、を運ぶためのバッグにおいて、このバッグが、互いに結合され、複数のポケット又は凹所を備えている、第１のフラップ（８）と第２のフラップ（９）とを有し、また、このバッグは、ハンドルを形成する少なくとも１つの紐（１）を有し、この紐は、第１のフラップに設けられている少なくとも１つの案内手段（１０）を介して摺動するように適合され、第２のフラップに接続されていることを特徴とするバッグに関する。
2008507370.tif 000002
【特許請求の範囲】
【請求項１】
複数の物品（６）、例えば、身分証、小切手帳、又は電車もしくは航空機のチケット、を運ぶためのバッグにおいて、このバッグが、互いに結合され、複数のポケット又はハウジングを備えている、第１のフラップ（８）と第２のフラップ（９）とを具備し、また、このバッグは、ストラップを形成する少なくとも１つの紐（１１、３２）を具備し、この紐は、一方では、前記第１のフラップの一部の、少なくとも１つの案内手段（１０）を介して摺動することができ、他方では、前記第２のフラップに取りつけられていることを特徴とするバッグ（１、２１、３１）。
【請求項２】
ヒンジ線（７）に沿って折りたたんだ後に、２つのフラップ（８、９）に分けられる、単一の柔軟なパネル（２）から形成されていることを特徴とする請求項１に記載のバッグ（１、２１、３１）。
【請求項３】
前記パネル（２）は、ほぼ矩形であることを特徴とする請求項２に記載のバッグ（１、２１、３１）。
【請求項４】
前記２つのフラップは、これら２つのフラップの間のヒンジ領域を形成する柔軟なストリップを介して結合されていることを特徴とする請求項１に記載のバッグ。
【請求項５】
各紐（１１）は、前記第１のフラップ（８）の一部である関連する案内手段（１０）を介して各々摺動される２つの自由端（１２）を有していることを特徴とする請求項１乃至４のいずれか１に記載のバッグ（１、２１）。
【請求項６】
前記紐の２つの自由端は、前記第２のフラップに固定されていることを特徴とする請求項５に記載のバッグ。
【請求項７】
前記紐（１１）の各自由端（１２）は、前記第２のフラップ（９）に形成されているスロット又は小穴（１３、２２）を介して摺動されることを特徴とする請求項５に記載のバッグ（１、２１）。
【請求項８】
各自由端（１２）は、前記バッグから突出している少なくとも１つの取り付け部材（２４）を有し、この取り付け部材には、物品を取り付けることができることを特徴とする請求項６又は７に記載のバッグ（２１）。
【請求項９】
各紐（３２）は、一方では、前記第１のフラップ（８）の一部である、少なくとも１つの案内手段（１０）を介して、他方では、前記第２のフラップ（９）に形成されている少なくとも２つの小穴（１３）を介して、通っている閉じたループを形成していることを特徴とする請求項１乃至４のいずれか１に記載のバッグ（３１）。
【請求項１０】
前記第１のフラップの一部である、各案内手段は、小穴又はループ（１０）を用いて形成されていることを特徴とする請求項１乃至９のいずれか１に記載のバッグ（１、２１、３１）。
【請求項１１】
前記第１のフラップ（８）の２つの角の各々は、案内手段（１０）を有し、また、前記紐（１１、３２）は、前記第２のフラップ（９）にこの第２のフラップの２つの角の近くで接続されていることを特徴とする請求項３に記載のバッグ（１、２１、３１）。
【請求項１２】
前記２つのフラップの一方（８）は、他方のフラップ（９）に固定されている、布地の少なくとも１つのストラップ（１６）と、ベルクロのように、相互に作用することができる、布地の少なくとも１つのストラップ（１５）を有していることを特徴とする請求項１乃至１１のいずれか１に記載のバッグ（１）。
【請求項１３】
前記紐（３２）は、この紐が摺動するのを防止するための少なくとも１つのロック装置（３４）を有していることを特徴とする請求項１乃至１２のいずれか１に記載のバッグ（３１）。
【発明の詳細な説明】
【技術分野】
【０００１】
本発明は、物品、例えば、身分証、小切手帳、又は電車もしくは航空機のチケット、を運ぶためのバッグに関する。
【背景技術】
【０００２】
一般的に、このような物品を運ぶために用いられるバッグは、これらバッグが、物品が盗まれる危険を低減するための、事実上なくすための、高度の安全システムを有していないという欠点を有している。具体的には、このタイプのほとんどのバッグでは、例えば、単に、ジッパー（Ｆｅｒｍｅｔｕｒｅ  Ｅｃｌａｉｒ−ｒｅｇｉｓｔｅｒｅｄ  ｔｒａｄｅｍａｒｋ）を開くことにより、又は、押しボタンシステムの作動を解除することにより、様々な物品へのアクセスを得ることができる。したがって、ベテランのすりは、このバッグを運んでいる者に知られることなく、このバッグの中身を容易に空にすることもできる。
【発明の開示】
【発明が解決しようとする課題】
【０００３】
本発明の目的は、この欠点を克服することであり、この目的のために、本発明は、複数の物品、例えば、身分証、小切手帳、又は電車もしくは航空機のチケット、を運ぶためのバッグにおいて、このバッグが、互いに結合され、複数のポケット又はハウジングを備えている、第１のフラップと第２のフラップとを有し、また、このバッグは、ストラップを形成する少なくとも１つの紐を有し、この紐は、一方では、前記第１のフラップの一部である少なくとも１つの案内手段を介して摺動することができ、他方では、前記第２のフラップに取りつけられていることを特徴とするバッグからなる。
【課題を解決するための手段】
【０００４】
したがって、前記バッグが使用者により適切に運ばれている場合には、すなわち、前記ストラップが、例えば、この使用者の首又は肩の周囲に通されている場合には、前記紐の一部は、前記２つのフラップが離されて動かされる場合に、前記第１のフラップの案内手段を介して摺動しなければならないことが避けられず、前記ストラップが短くされるために、このバッグは、使用者の体を上昇させられる。この結果、この装用者は、悪事をたくらむ人物によるこのバッグをいかなる試みも即座に感知することができる。
【０００５】
さらに、このようなバッグは、非常にコンパクトな一方で、絶対に必要な旅行品、例えば、身分証、パスポート、小切手帳、又はチケット、を運ぶことができるため、特に好都合である。
【０００６】
本発明によるバッグは、前記第１のフラップと第２のフラップとの間に位置している仕切りも有することができ、これら様々な部材は、本のように共に結合されていることに留意されたい。この場合、必要とされるだろう全ては、これら様々な仕切りが紐が通過できるように複数の小穴を有することであろう。
【０００７】
第１の好ましい実施形態によると、このバッグは、ヒンジ線に沿って折りたたんだ後に２つのフラップに分かれる単一の柔軟性のあるパネルから形成されている。もし、このバッグがこれら２つのフラップをともに接続する側面のガセット(soufflet)を有していないならば、この場合、前記パネルに沿ったヒンジ線の位置は、各々のフラップの中に収容される物品のサイズによって変化することができる。このように、このようなバッグは、運ばれる物品の形状とサイズとに合うように合わせることができる調節可能な収納容積を有するという有利な点を有している。
【０００８】
このパネルがほぼ矩形であれば好ましい。この場合には、位置がパネルに沿って、収納される物品に依存するヒンジ線に沿ってこのパネルを折りたたんだ後に得られる、各フラップのおよその形状も矩形である。
【０００９】
第２の好ましい実施形態によると、前記２つのフラップは、これら２つのフラップの間でヒンジ領域を形成する柔軟なストリップを介して結合されている。もし、このバッグがこれら２つのフラップをともに結合している側面のガセットを有していないならば、この場合には、前記ヒンジ線の位置は、柔軟なストリップに沿って、各フラップの中に収納される物品のサイズに依存して変化しうる。
【００１０】
第１の好ましい実施形態によれば、各紐は、前記第１のフラップの一部の関連した案内手段を介して各々が摺動される２つの自由端を有している。
【００１１】
第１の好ましい代わりの実施形態によると、この紐のこれら２つの自由端は、前記第２のフラップに固定されている。
【００１２】
第２の好ましい実施形態によると、前記紐の各々の自由端は、前記第２のフラップに形成されているスロット又は小穴を介して摺動される。したがって、各自由端が、物品が取り付けられることができる、前記バッグから突出している少なくとも１つの取り付け部材を有していることができるならば有利である。この物品は、例えば、携帯電話からなり、この結果、このバッグの装用者が、この携帯電話を用いるために前記取り付け部材からこの携帯電話を取外す必要がないという事実に重要な有利な点がある。この装用者がしなければならないことは、この携帯電話が対応するスロット又は小穴を介して取りつけられている前記自由端を摺動させることによりこの電話を装用者の顔に持ち上げることだけである。結果として、このバッグは、この装用者の体に押圧され、装用者の体を上昇する。この結果、この装用者の注意がそらされているときであっても、このバッグが不正に開かれるいかなる危険も決定的に取り除かれる。さらに、この携帯電話は常にこのバッグに取り付けられているので、この携帯電話が盗まれてしまう危険はきわめて小さい。
【００１３】
第２の好ましい実施形態によれば、各紐は、一方では、前記第１のフラップの一部の少なくとも１つの案内手段を介して、他方では、前記第２のフラップに形成されている少なくとも２つの小穴を介して、通っている閉じたループを形成している。
【００１４】
前記第１のフラップの一部の各案内手段は、小穴又はループを用いて形成されていると、好都合である。
【００１５】
前記第１のフラップの２つの角の各々が、案内手段を有し、前記紐は、前記第２のフラップにその２つの角の近くで接続されているならば、また、好都合である。
【００１６】
前記２つのフラップの一方が、他方のフラップに固定されている布地の少なくとも１つのストリップと、Ｖｅｌｃｒｏ（登録商標）（ベルクロ）のように、相互に作用することができる少なくとも１つの布地の少なくとも１つのストリップを有しているならば、好ましい。
【００１７】
前記紐がこの紐が摺動することを防止するための少なくとも１つのロック装置を有していると、また、好ましい。
【００１８】
本発明は、添付されている図面を参照した以下の詳細な説明の助けでより明確に理解される。
【発明を実施するための最良の形態】
【００１９】
本発明によるバッグ１は、図１と図２とに示されているように、単一の矩形のパネル２から得られる。このパネル２は、柔軟性があり、皮又はプラスチックで形成されていると好ましい。
【００２０】
このパネル２は、収納手段を備えていない外面３と、柔軟性のある複数のストリップ５が置かれ、それから中に複数の物品６を収納することができる複数のハウジングを規定するようにこのパネル２の端に沿って溶接することにより取り付けられる内面４とを有している。
【００２１】
さらに、このパネル２を、挿入される物品６の形状とサイズとによって、このパネル２に沿って位置が変化するヒンジ線７に沿ってそれ自身に折りたたむことができる。一度、折りたたまれると、このパネル２は、共に矩形の第１のフラップ８と第２のフラップ９とに分けられる。
【００２２】
この第１のフラップ８の内面４は、２つの端の角を有し、これら端の角の近くでは、各々が、ストラップを形成し２つの自由端１２を有している紐１１のための案内手段を構成している２つのループ１０が形成されている。
【００２３】
第２のフラップ９も、２つの端の角を有し、これら端の角の各々の近くには、紐１１の２つの自由端１２を通過させるために小穴１３が形成されている。これら端部の各々は、この場合、それ自身で結ばれ、対応する小穴１３に対して当接するようにデザインされている隆起１４を形成する。
【００２４】
物品６をバッグ１にいれて運びたい者は、以下のように進める。まず、ストラップが、例えば、この者の首の周りに通される。バッグ１は、最初閉じられているので、２つのフラップ８、９を離れるように動かすと、紐１１は、ループ１０を介して摺動する。なぜなら、前記隆起１４は、小穴１３を通過することができないからである。この結果、ストラップが短くなり、バッグ１が開くにつれて、バッグ１にこの者の体を上昇させる。このように、このバッグ１の装用者は、このバッグを開こうとする望ましくない試みを容易に察知することができる。
【００２５】
紐１１の２つの自由端を第２のフラップ９に、例えば、溶接することにより、又は、接着剤により結合することにより、このバッグ１の一般的な使用方法が、この結果、影響を受けないように、固定することができることに留意されたい。
【００２６】
代わりとして、図３に示されているように、このバッグ１は、第１のフラップ８に固定されている布地のストラップ１５の形式で、Ｖｅｌｃｒｏ（登録商標）のように、第２のフラップ９の外面３に取りつけられている少なくとも１つの布地のストリップと相互に作用することができる、追加の閉じシステムを有している。このシステムの有利な点は、ヒンジ線７がパネル２に沿ってどこに位置していようと、布地のストリップ１５と布地のストリップ１６とが重なり合う領域が常にあるという事実にある。
【００２７】
本発明による他のバッグ２１は、図４に示されているように、まず第１に、前記２つの小穴１３が紐１１の摺動を容易にするようにスロット２２に置き換えられ、第２に、紐１１の２つの端部１２は、例えば、留め具、リング、又はコードのような取り付け部材２４を有しているという点で主に、バッグ１と異なっている。この結果、特に、これら取り付け部材２４に携帯電話又は鍵さえも取り付けることができる。携帯電話のより具体的な場合には、このバッグ２１の装用者は、この携帯電話を用いるために、取り付け部材２４から電話を外す必要がないという事実に重要な有利な点がある。この装用者がしなければならないことは、この携帯電話が取りつけられている自由端１２を対応するスロット２２を介して摺動させることにより自分の顔に持ち上げることだけである。結果として、このバッグ２１は、装用者の体に押圧され、この体を上昇する。このことは、装用者が注意していない場合でさえも、このバッグが不正に開いてしまうといういかなる危険も決定的に取り除かれる。
【００２８】
本発明の第２の好ましい実施形態によるバッグ３１は、図５に示されているように、このバッグが、閉じられたループを形成している紐３２を有しているという点で主に、バッグ１と異なる。このように、この紐３２の部分３３は、第２のフラップ９の２つの小穴１３の間を延び、このバッグ３１が閉じられている場合に、第２のフラップ９を第１のフラップ８にいっそうよりしっかりと押圧させる役割を果たしている。
【００２９】
このバッグ３１が、前記紐３２が摺動するのを防止するためのロック装置３４を有していると好都合である。このロック装置３４を、そのヘッド３５を押圧することにより、一時的に作動しなくすることができる。このヘッドを押圧することにより、紐３２を通過させるために設けられている開口部３７が開く。  
このようなロック装置３４を、本発明によるいずれのバッグにも含めることができる事に留意されたい。
【００３０】
最後に、本発明によるバッグ４１の最後の実施形態が図６に示されている。このバッグ４１は、まず第１に、ループ１０と複数の小穴１３とが、第１のフラップ８と第２のフラップ９とにそれぞれ形成されている２つの中央の小穴４２、４３に置き換えられ、第２に、紐４４が、上述のような取り付け手段４６を備えた第１の端部４５と、第１のフラップ８に、例えば、接着剤により結合することにより、又は、溶接することにより、固定されている第２の端部４７と、を有している点で主に、バッグ１と異なる。明らかに、安全の観点から、このバッグ４１は、バッグ１、２１、３１よりも不都合である。なぜなら、紐４４は、第２のフラップ９を第１のフラップ８にしっかりと押圧しないからである。
【００３１】
安全性を向上させるために、本発明によるバッグは、このバッグの様々なフラップに形成されている関連するスロット又は小穴と相互に作用するようにデザインされている複数の独立した紐を有してもよいことに留意されたい。
【００３２】
本発明は、特定の実施形態と関連させて説明されてきたが、これら実施形態に決して限定されず、本発明が、説明された手段の全ての技術的な等価物と、本発明の範囲に入るそれらのどんな組合せも含むことは明らかである。
【図面の簡単な説明】
【００３３】
【図１】開いている場合の、本発明の第１実施形態によるバッグの斜視図である。
【図２】閉じている場合の、図１に示されているバッグの部分的な斜視図である。
【図３】Ｖｅｒｃｒｏタイプ（登録商標）の閉じシステムを加えた図２の図に類似した図である。
【図４】閉じている場合の、本発明の第１実施形態による他のバッグの部分的な斜視図である。
【図５】閉じている場合の、本発明の第２実施形態によるバッグの斜視図である。
【図６】開いている場合の、本発明による他のバッグの斜視図である。
【図１】
2008507370.tif 000003
【図２】
2008507370.tif 000004
【図３】
2008507370.tif 000005
【図４】
2008507370.tif 000006
【図５】
2008507370.tif 000007
【図６】
2008507370.tif 000008
【国際調査報告】
2008507370.tif 000009
2008507370.tif 000010
2008507370.tif 000011
2008507370.tif 000012